(57)【要約】【課題】光情報記録媒体への情報の記録・再生の中断時等におけるピックアップの位置を、記録容量の損失を軽減できるように決定する。【解決手段】光情報記録媒体１への情報の記録・再生を中断している間は、光情報記録媒体１に、ピックアップが自身の位置を制御するための位置制御光を照射している。位置制御光の照射領域４０が書込可能領域５６に含まれていると、情報の記録・再生に使用する使用光に対する書込可能領域５６の感度が損なわれる。そこで、情報がこれ以上は記録できない飽和領域５２ａ、ｂおよび感度損失を容認する感度損失容認領域５４の内で照射領域４０に最も近い領域に、位置制御光が照射されるようなピックアップの位置を決定して、ピックアップを移動させる。【選択図】  図４
2004227620.tif 000002
【特許請求の範囲】
【請求項１】
光情報記録媒体への情報の記録を行うための使用光および自身の位置を制御するために使用する位置制御光を前記光情報記録媒体に照射する光照射手段と、
光情報記録媒体への記録を行っている活動状態であるか否かを判定する状態判定手段と、
前記活動状態では無いと判定された場合に、使用光に対する感度の損失を考慮しなくてよい前記光情報記録媒体における感度損失無視領域に前記位置制御光が照射されるように、前記光照射手段の位置を決定する光照射位置決定手段と、
を備えた光情報記録装置。
【請求項２】
請求項１に記載の光情報記録装置であって、
前記感度損失無視領域は、情報が記録されており、これ以上は情報が記録できない飽和領域である、
光情報記録装置。
【請求項３】
請求項２に記載の光情報記録装置であって、
前記飽和領域は、所定回数だけ情報が記録された領域である、
光情報記録装置。
【請求項４】
請求項１に記載の光情報記録装置であって、
前記感度損失無視領域は、使用光に対する感度の損失を容認する感度損失容認領域である、
光情報記録装置。
【請求項５】
請求項１に記載の光情報記録装置であって、
前記光照射位置決定手段は、前記活動状態では無い時間が所定時間に到達した場合に、前記光照射手段の位置を決定する、
光情報記録装置。
【請求項６】
請求項１に記載の光情報記録装置であって、
前記感度損失無視領域は、情報が記録されておりこれ以上は情報が記録できない飽和領域および使用光に対する感度の損失を容認する感度損失容認領域であり、
前記光照射位置決定手段は、位置制御光が照射されている領域から最も近い前記飽和領域あるいは前記感度損失容認領域に位置制御光が照射されるように、前記光照射手段の位置を決定する、
光情報記録装置。
【請求項７】
光情報記録媒体への情報の記録あるいは再生を行うための使用光および自身の位置を制御するために使用する位置制御光を前記光情報記録媒体に照射する光照射手段と、
光情報記録媒体への記録あるいは再生を行っている活動状態であるか否かを判定する状態判定手段と、
前記活動状態では無いと判定された場合に、使用光に対する感度の損失を考慮しなくてよい前記光情報記録媒体における感度損失無視領域に前記位置制御光が照射されるように、前記光照射手段の位置を決定する光照射位置決定手段と、
を備えた光情報記録再生装置。
【請求項８】
情報の記録を行うために照射される使用光に対する感度の損失を容認する感度損失容認領域を備えた光情報記録媒体。
【請求項９】
光情報記録媒体への情報の記録を行うための使用光および自身の位置を制御するために使用する位置制御光を前記光情報記録媒体に照射する光照射手段を有する光情報記録装置における光情報記録処理をコンピュータに実行させるためのプログラムであって、
光情報記録媒体への記録を行っている活動状態であるか否かを判定する状態判定処理と、
前記活動状態では無いと判定された場合に、使用光に対する感度の損失を考慮しなくてよい前記光情報記録媒体における感度損失無視領域に前記位置制御光が照射されるように、前記光照射手段の位置を決定する光照射位置決定処理と、
をコンピュータに実行させるためのプログラム。
【請求項１０】
光情報記録媒体への情報の記録を行うための使用光および自身の位置を制御するために使用する位置制御光を前記光情報記録媒体に照射する光照射手段を有する光情報記録装置における光情報記録処理をコンピュータに実行させるためのプログラムを記録したコンピュータによって読み取り可能な記録媒体であって、
光情報記録媒体への記録を行っている活動状態であるか否かを判定する状態判定処理と、
前記活動状態では無いと判定された場合に、使用光に対する感度の損失を考慮しなくてよい前記光情報記録媒体における感度損失無視領域に前記位置制御光が照射されるように、前記光照射手段の位置を決定する光照射位置決定処理と、
をコンピュータに実行させるためのプログラムを記録したコンピュータによって読み取り可能な記録媒体。
【発明の詳細な説明】
【０００１】
【発明の属する技術分野】
本発明は、光情報記録媒体に情報を記録し、あるいは光情報記録媒体から情報を再生するために光情報記録媒体に光を照射するピックアップの位置制御に関する。
【０００２】
【従来の技術】
ホログラフィを利用して記録媒体に情報を記録するホログラフィック記録は、一般的に、イメージ情報を持った情報光と参照光とを記録媒体の内部で重ね合わせ、そのときにできる干渉縞を記録媒体に書き込むことによって行われる。記録された情報の再生時には、その記録媒体に参照光を照射することにより、干渉縞による回折によりイメージ情報が再生される。
【０００３】
ここで、情報光および参照光はピックアップから記録媒体に照射される。情報光および参照光を記録媒体の所定の位置に正確に照射しなければ、情報の記録および再生が正確に行えない。そこで、ピックアップからサーボ制御用のサーボ光を記録媒体に照射し、その反射光を利用して、ピックアップの位置をサーボ制御する。このサーボ制御の後に、情報の記録および再生が行われる。
【０００４】
ピックアップの位置のサーボ制御については、特許文献１に記載がある。図８は、特許文献１の図１におけるサーボ制御にかかわる部分のみを抜き出した図である。
【０００５】
図８を参照して、光源装置１２５の出射光は、再生用の低出力に設定され、コリメータレンズ１２４、半反射面１２３ａを通過する。そして、反射面１１５ｂで反射され、対物レンズ１１２を通過して、光情報記録媒体１に照射される。光情報記録媒体１に照射された光は、反射膜１０５により反射され、対物レンズ１１２を通過し、反射面１１５ｂで反射され、半反射面１２３ａで反射され、凸レンズ１２７およびシリンドリカルレンズ１２８を順に通過した後、４分割フォトディテクタ１２９によって検出される。そして、この４分割フォトディテクタ１２９の出力に基づいて、ピックアップ１１１の位置のサーボ制御が行われる。
【０００６】
【特許文献１】
特開平１１−３１１９３８号公報（図１、段落番号００３２〜００３４）
【発明が解決しようとする課題】
ここで、ピックアップの位置をサーボ制御してから、光情報記録媒体への情報の記録あるいは情報の再生を行った後、情報の記録・再生を中断し、再開することがある。この場合、情報の記録・再生を中断した時から、ピックアップの位置を動かさないようにすることが好ましいように思える。情報の記録・再生を再開する際のピックアップの位置は、情報の記録・再生を中断した時のピックアップの位置である必要があるからである。
【０００７】
しかしながら、このような、情報の記録・再生を中断時におけるピックアップの位置の決定法は、以下のような問題がある。
【０００８】
すなわち、情報の記録・再生を再開する前には、ピックアップの位置のサーボ制御を行う必要がある。このため、情報の記録・再生を中断している間は、ピックアップからサーボ制御用のサーボ光を光情報記録媒体に照射し続ける必要がある。このようにしなければ、情報の記録・再生を迅速に再開できない。
【０００９】
しかし、光情報記録媒体にサーボ光を照射し続ければ、照射を受けている部分の情報光および参照光に対する感度が段々と損なわれていき、やがて何も情報を書きこめなくなってしまう。よって、光情報記録媒体の記録容量が無駄に損なわれてしまう。
【００１０】
そこで、本発明は、光情報記録媒体への情報の記録・再生の中断時等におけるピックアップの位置を、光情報記録媒体の記録容量の損失を軽減できるように決定することを課題とする。
【００１１】
【課題を解決するための手段】
請求項１に記載の発明は、光情報記録媒体への情報の記録を行うための使用光および自身の位置を制御するために使用する位置制御光を光情報記録媒体に照射する光照射手段と、光情報記録媒体への記録を行っている活動状態であるか否かを判定する状態判定手段と、活動状態では無いと判定された場合に、使用光に対する感度の損失を考慮しなくてよい光情報記録媒体における感度損失無視領域に位置制御光が照射されるように、光照射手段の位置を決定する光照射位置決定手段とを備えるように構成される。
【００１２】
上記のように構成された発明によれば、活動状態では無い時（例えば、光照射手段の位置制御中）には、位置制御光が感度損失無視領域に照射される。よって、位置制御光の照射による、光情報記録媒体の使用光に対する感度の損失を考慮しなくてすむ。
【００１３】
請求項２に記載の発明は、請求項１に記載の発明であって、感度損失無視領域は、情報が記録されており、これ以上は情報が記録できない飽和領域であるように構成される。
【００１４】
請求項３に記載の発明は、請求項２に記載の発明であって、飽和領域は、所定回数だけ情報が記録された領域であるように構成される。
【００１５】
請求項４に記載の発明は、請求項１に記載の発明であって、感度損失無視領域は、使用光に対する感度の損失を容認する感度損失容認領域であるように構成される。
【００１６】
請求項５に記載の発明は、請求項１に記載の発明であって、光照射位置決定手段は、活動状態では無い時間が所定時間に到達した場合に、光照射手段の位置を決定するように構成される。
【００１７】
上記のように構成された発明によれば、活動状態では無い時間が所定時間に到達しないような短い時間の場合、光照射手段の位置が特に変更されないので、活動状態にする場合に便利である。
【００１８】
請求項６に記載の発明は、請求項１に記載の発明であって、感度損失無視領域は、情報が記録されておりこれ以上は情報が記録できない飽和領域および使用光に対する感度の損失を容認する感度損失容認領域であり、光照射位置決定手段は、位置制御光が照射されている領域から最も近い飽和領域あるいは感度損失容認領域に位置制御光が照射されるように、光照射手段の位置を決定するように構成される。
【００１９】
上記のように構成された発明によれば、感度損失無視領域の内で、位置制御光が照射されている領域から最も近いものに位置制御光が照射されるように光照射手段の位置が決定されるので、光照射手段の移動にかかる時間を短くできる。
【００２０】
請求項７に記載の発明は、光情報記録媒体への情報の記録あるいは再生を行うための使用光および自身の位置を制御するために使用する位置制御光を光情報記録媒体に照射する光照射手段と、光情報記録媒体への記録あるいは再生を行っている活動状態であるか否かを判定する状態判定手段と、活動状態では無いと判定された場合に、使用光に対する感度の損失を考慮しなくてよい光情報記録媒体における感度損失無視領域に位置制御光が照射されるように、光照射手段の位置を決定する光照射位置決定手段とを備えるように構成される。
【００２１】
請求項８に記載の発明は、情報の記録を行うために照射される使用光に対する感度の損失を容認する感度損失容認領域を備えた光情報記録媒体である。
【００２２】
請求項９に記載の発明は、光情報記録媒体への情報の記録を行うための使用光および自身の位置を制御するために使用する位置制御光を光情報記録媒体に照射する光照射手段を有する光情報記録装置における光情報記録処理をコンピュータに実行させるためのプログラムであって、光情報記録媒体への記録を行っている活動状態であるか否かを判定する状態判定処理と、活動状態では無いと判定された場合に、使用光に対する感度の損失を考慮しなくてよい光情報記録媒体における感度損失無視領域に位置制御光が照射されるように、光照射手段の位置を決定する光照射位置決定処理とをコンピュータに実行させるためのプログラムである。
【００２３】
請求項１０に記載の発明は、光情報記録媒体への情報の記録を行うための使用光および自身の位置を制御するために使用する位置制御光を光情報記録媒体に照射する光照射手段を有する光情報記録装置における光情報記録処理をコンピュータに実行させるためのプログラムを記録したコンピュータによって読み取り可能な記録媒体であって、光情報記録媒体への記録を行っている活動状態であるか否かを判定する状態判定処理と、活動状態では無いと判定された場合に、使用光に対する感度の損失を考慮しなくてよい光情報記録媒体における感度損失無視領域に位置制御光が照射されるように、光照射手段の位置を決定する光照射位置決定処理とをコンピュータに実行させるためのプログラムを記録したコンピュータによって読み取り可能な記録媒体である。
【００２４】
【発明の実施の形態】
以下、本発明の実施の形態を図面を参照しながら説明する。
【００２５】
図１は、本発明の実施形態に係る光情報記録再生装置におけるピックアップ装置（以下、単にピックアップと言う。）と光情報記録媒体の構成を示す説明図、図２は本発明の実施形態に係る光情報記録再生装置の全体構成を示すブロック図である。なお、光情報記録再生装置は、光情報記録装置と光情報再生装置とを含んでいる。また、本発明の実施形態では光情報記録媒体として円盤状の光ディスクを用いているが、カード状の記録媒体を用いることができる。
【００２６】
光情報記録媒体の構成
始めに、図１を参照して、本発明の実施形態における光情報記録媒体の構成について説明する。この光情報記録媒体１は、ポリカーボネート等によって形成された円板状の透明基板２の一面に、ボリュームホログラフィを利用して情報が記録される情報記録層としてのホログラム記録層３と、反射膜５と、基板（保護層）８とを、この順番で積層して構成されている。
【００２７】
ホログラム記録層３は、光が照射されたときに光の強度に応じて屈折率、誘電率、反射率等の光学的特性が変化するホログラム材料によって形成されている。ホログラム材料としては、例えば、デュポン（Ｄｕｐｏｎｔ）社製フォトポリマ（ｐｈｏｔｏｐｏｌｙｍｅｒｓ）ＨＲＦ−６００（製品名）等が使用される。
【００２８】
反射膜５は、光（再生用参照光など）を反射する膜である。反射膜５は、例えばアルミニウムによって形成されている。
【００２９】
基板（保護層）８は、例えば、インジェクションで作成されたアドレス付基板である。その基板（保護層）８には、半径方向に線状に延びる複数の位置決め領域としてのアドレス・サーボエリア６が所定の角度間隔で設けられ、隣り合うアドレス・サーボエリア６間の扇形の区間がデータエリア７になっている。アドレス・サーボエリア６には、サンプルドサーボ方式によってフォーカスサーボおよびトラッキングサーボを行うための情報とアドレス情報とが、予めエンボスピット等によって記録されている（プリフォーマット）。なお、フォーカスサーボは、反射膜５の反射面を用いて行うことができる。トラッキングサーボを行うための情報としては、例えばウォブルピットを用いることができる。
【００３０】
光情報記録再生装置の構成
次に、図２を参照して、本発明の実施形態に係る光情報記録再生装置の構成について説明する。この光情報記録再生装置１０は、光情報記録媒体１が取り付けられるスピンドル８１と、このスピンドル８１を回転させるスピンドルモータ８２と、光情報記録媒体１の回転数を所定の値に保つようにスピンドルモータ８２を制御するスピンドルサーボ回路８３とを備えている。光情報記録再生装置１０は、更に、光情報記録媒体１に対して情報光と記録用参照光とを照射して情報を記録すると共に、光情報記録媒体１に対して再生用参照光を照射し、再生光を検出して、光情報記録媒体１に記録されている情報を再生するためのピックアップ１１と、このピックアップ１１を光情報記録媒体１の半径方向に移動可能とする駆動装置８４とを備えている。
【００３１】
光情報記録再生装置１０は、更に、ピックアップ１１の出力信号よりフォーカスエラー信号ＦＥ，トラッキングエラー信号ＴＥおよび再生信号ＲＦを検出するための検出回路８５と、この検出回路８５によって検出されるフォーカスエラー信号ＦＥに基づいて、ピックアップ１１内のアクチュエータを駆動して対物レンズを光情報記録媒体１の厚み方向に移動させてフォーカスサーボを行うフォーカスサーボ回路８６と、検出回路８５によって検出されるトラッキングエラー信号ＴＥに基づいてピックアップ１１内のアクチュエータを駆動して対物レンズを光情報記録媒体１の半径方向に移動させてトラッキングサーボを行うトラッキングサーボ回路８７と、トラッキングエラー信号ＴＥおよび後述するコントローラからの指令に基づいて駆動装置８４を制御してピックアップ１１を光情報記録媒体１の半径方向に移動させるスライドサーボを行うスライドサーボ回路８８とを備えている。
【００３２】
光情報記録再生装置１０は、更に、ピックアップ１１内の後述するＣＭＯＳ又はＣＣＤアレイの出力データをデコードして、光情報記録媒体１のデータエリア７に記録されたデータを再生したり、検出回路８５からの再生信号ＲＦより基本クロックを再生したりアドレスを判別したりする信号処理回路８９と、光情報記録再生装置１０の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ１１、スピンドルサーボ回路８３およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード・オンリ・メモリ）およびＲＡＭ（ランダム・アクセス・メモリ）を有し、ＣＰＵが、ＲＡＭを作業領域として、ＲＯＭに格納されたプログラムを実行することによって、コントローラ９０の機能を実現するようになっている。
【００３３】
次に、図１を参照して、本実施の形態におけるピックアップ（光照射手段）１１の構成について説明する。ピックアップ１１は、使用光および位置制御光を光情報記録媒体１に照射するためのものである。
【００３４】
なお、使用光とは、光情報記録媒体１への情報の記録あるいは再生を行うために光情報記録媒体１に入射する光である。使用光には、記録したい情報を担持した情報光、情報光と干渉させホログラフィを形成するための記録用参照光およびホログラフィから情報を再生するための再生用参照光がある。ただし、使用光として情報光および記録用参照光が必要となるのは、情報を光情報記録媒体１に記録する時である。情報を光情報記録媒体１から再生する場合は、再生用参照光を入射すれば、光情報記録媒体１からの戻り光が再生対象の情報を担持したものとなる。これらの使用光は、図示省略した光学系により生成され、ダイクロイックミラー３０を下方から上方に透過する。使用光には、一般的には、Ｒ（赤）のレーザを使用する。
【００３５】
また、位置制御光とは、ピックアップ（光照射手段）１１の位置を制御するために使用する光である。位置制御光は、サーボ用光源装置３２により生成される。位置制御光には、一般的には、Ｇ（緑）のレーザを使用する。
【００３６】
ただし、使用光および位置制御光として、Ｂ（青）のレーザを使用することも考えられる。
【００３７】
ピックアップ１１は、スピンドル８１に光情報記録媒体１が固定されたときに、光情報記録媒体１の透明基板２側に対向する対物レンズ１２と、この対物レンズ１２を光情報記録媒体１の厚み方向および半径方向に移動可能なアクチュエータ１３と、四分の一波長板１４、ダイクロイックミラー３０、偏光ビームスプリッタ（ハーフミラーでも良い）３１、サーボ用光源装置３２、凸レンズ３３、シリンドリカルレンズ３４、４分割フォトディテクタ３５を備えている。
【００３８】
四分の一波長板１４は、Ｐ偏光やＳ偏光のように直線偏光の光が入射し、その直線偏光の方位が四分の一波長板１４における結晶の光学軸に対してなす角度が４５度のとき、通過光を直線偏光から円偏光の光にするものである。ダイクロイックミラー３０を通過する使用光およびダイクロイックミラー３０にて反射される位置制御光はＰ偏光であるので、四分の一波長板１４を通過すると円偏光となり、光情報記録媒体１に入射される。光情報記録媒体１から入射されされた光は反射され、四分の一波長板１４を通過すると円偏光からＳ偏光の光となる。
【００３９】
位置制御光は、偏光ビームスプリッタ３１を透過し、ダイクロイックミラー３０により反射され、光情報記録媒体１に入射される。光情報記録媒体１からの戻り光が、対物レンズ１２、四分の一波長板１４、ダイクロイックミラー３０、偏光ビームスプリッタ（ハーフミラーでも良い）３１、凸レンズ３３、シリンドリカルレンズ３４を経由して４分割フォトディテクタ３５に入射する用に構成されている。
【００４０】
４分割フォトディテクタ３５は、図３に示したように、光情報記録媒体１におけるトラック方向に対応する方向と平行な分割線３６ａとこれと直交する方向の分割線３６ｂとによって分割された４つの受光部３５ａ〜３５ｄを有している。シリンドリカルレンズ３４は、その円筒面の中心軸が４分割フォトディテクタ３５の分割線３６ａ，３６ｂに対して４５°をなすように配置されている。
【００４１】
ここで、図３は、４分割フォトディテクタ３５の出力に基づいて、フォーカスエラー信号ＦＥ、トラッキングエラー信号ＴＥおよび再生信号ＲＦを検出するための検出回路８５の構成を示すブロック図である。この検出回路８５は、４分割フォトディテクタ３５の対角の受光部３５ａ，３５ｄの各出力を加算する加算器３７と、４分割フォトディテクタ３５の対角の受光部３５ｂ，３５ｃの各出力を加算する加算器３８と、加算器３７の出力と加算器３８の出力との差を演算して、非点収差法によるフォーカスエラー信号ＦＥを生成する減算器３９と、４分割フォトディテクタ３５のトラック方向に沿って隣り合う受光部３５ａ，３５ｂの各出力を加算する加算器４０と、４分割フォトディテクタ３５のトラック方向に沿って隣り合う受光部３５ｃ，３５ｄの各出力を加算する加算器４１と、加算器４０の出力と加算器４１の出力との差を演算して、プッシュプル法によるトラッキングエラー信号ＴＥを生成する減算器４２と、加算器４０の出力と加算器４１の出力とを加算して再生信号ＲＦを生成する加算器４３とを備えている。なお、本実施の形態では、再生信号ＲＦは、光情報記録媒体１におけるアドレス・サーボエリア６に記録された情報を再生した信号である。
【００４２】
なお、ピックアップ１１内のサーボ用光源装置３２は、図３におけるコントローラ９０によって制御されるようになっている。
【００４３】
また、ピックアップ１１の位置制御が行われてから、光情報記録媒体１への情報を記録あるいは光情報記録媒体１からの情報の再生が行われることになる。ここで、情報の記録および再生が中断された場合は、ピックアップ１１から位置制御光が光情報記録媒体１に照射され続ける。これにより、情報の記録および再生が中断されている間にも、ピックアップ１１の位置制御が行われる。そこで、情報の記録および再生を再開する時に、迅速に再開できる。
【００４４】
情報の記録および再生の中断時に、ピックアップ１１から位置制御光が光情報記録媒体１に照射され続けると、照射される領域によっては、光情報記録媒体１の使用光に対する感度を損なう。そこで、ピックアップ１１の位置を制御して、位置制御光により照射される領域を使用光に対する感度の損失を考慮しなくてもよい領域とするとよい。このようなピックアップ１１の位置制御は、信号処理回路８９およびコントローラ９０により行われる。
【００４５】
図４は光情報記録媒体１を光を照射する側から見た底面図、図５はピックアップ１１の位置を制御する際の、信号処理回路８９およびコントローラ９０により果たされる機能を示した機能ブロック図である。
【００４６】
図４を参照して、光情報記録媒体１のホログラム記録層３においては、飽和領域５２ａ、ｂ、感度損失容認領域５４、書込可能領域５６、欠陥領域５８がある。
【００４７】
飽和領域５２ａ、ｂには、情報が記録されており、これ以上は情報が記録できない。飽和領域５２ａ、ｂであるか否かは、情報が所定回数（例えば、５回）だけ書き込まれたか否かにより判定できる。情報が所定回数未満だけ書きこまれているのならば、飽和領域５２ａ、ｂではない。情報が所定回数だけ書きこまれているのならば、飽和領域５２ａ、ｂである。この所定回数が、後述する、「可能なホログラム記録多重度」である。
【００４８】
感度損失容認領域５４は、使用光に対する感度の損失を容認する領域である。書込可能領域５６は、情報の書き込みが可能な領域である。図４においては、書込可能領域５６は、飽和領域５２ａと５２ｂとの間、飽和領域５２ｂと感度損失容認領域５４との間、感度損失容認領域５４よりも内側の領域である。欠陥領域５８は、欠陥があって情報を書き込むことのできない領域である。欠陥の有無は、光情報記録媒体１への情報の記録および再生時に判定される。飽和領域５２ａ、ｂおよび感度損失容認領域５４は、使用光に対する感度の損失を考慮しなくてよい感度損失無視領域である。飽和領域５２ａ、ｂはすでに使用光に対する感度が無く、感度損失容認領域５４は使用光に対する感度の損失を容認する領域だからである。
【００４９】
なお、図４に示す例では、位置制御光により照射される照射領域４０と、飽和領域５２ａ、ｂ、感度損失容認領域５４との距離は、それぞれ、ｄ１、ｄ２、ｄ３であり、ｄ１＜ｄ２＜ｄ３である。
【００５０】
また、光情報記録媒体１は、ＴＯＣ（Ｔａｂｌｅ  ｏｆ  Ｃｏｎｔｅｎｔｓ）情報を記録する。
【００５１】
ＴＯＣ情報は、ＴＯＣ開始アドレス、マニュファクチュアリングデータ、光情報記録再生装置１０における最適記録・再生パラメータ、欠陥アドレス、記録済アドレスを有する。
【００５２】
ＴＯＣ開始アドレスおよびマニュファクチュアリングデータは、光情報記録媒体１の製造時に予め記録しておくデータである。その他は、光情報記録媒体１について情報の記録・再生を行う度に更新するデータである。
【００５３】
ＴＯＣ開始アドレスは、光情報記録媒体１においてＴＯＣ情報を記録した領域が開始するアドレスである。
【００５４】
マニュファクチュアリングデータは、光情報記録媒体１の製造者（メーカ）、フォーマットバージョン、製造番号、可能なホログラム記録多重度、最適記録・再生パラメータを有する。フォーマットバージョンは、光情報記録媒体１の構造および物理アドレス等を識別するための情報である。なお、フォーマットバージョンは、感度損失容認領域５４のアドレスも含む。可能なホログラム記録多重度は、光情報記録媒体１の同一個所における書き込み可能な回数である。書込可能領域５６であって、全く情報の書き込みがなされていない領域に、可能なホログラム記録多重度だけ書き込みを行えば、飽和領域５２ａ、ｂとなる。最適記録・再生パラメータは、光情報記録媒体１の記録および再生に最適なレーザパワーなどのパラメータである。
【００５５】
光情報記録再生装置１０における最適記録・再生パラメータは、マニュファクチュアリングデータにおける最適記録・再生パラメータに基づき、光情報記録再生装置１０において実測の結果求められた最適のパラメータである。
【００５６】
欠陥アドレスは、欠陥領域５８のアドレスである。
【００５７】
記録済アドレスは、飽和領域５２ａ、ｂのアドレスである。「可能なホログラム記録多重度」（マニュファクチュアリングデータ中のデータ）だけ書き込みがなされた領域を飽和領域５２ａ、ｂとして、そのアドレスを記録する。
【００５８】
図５を参照して、信号処理回路８９およびコントローラ９０は、照射領域検出部１１０、ＴＯＣ情報記録部１２０、待機状態判定部１３１、記録可否判定部１３２、第一回避距離算出部１３４、第二回避距離算出部１３６、ピックアップ位置決定部１３８を備える。
【００５９】
照射領域検出部１１０は、光情報記録媒体１が位置制御光により照射される照射領域４０のアドレスを検出する。照射領域検出部１１０は、信号処理回路８９により実装される。
【００６０】
ＴＯＣ情報記録部１２０、待機状態判定部１３１、記録可否判定部１３２、第一回避距離算出部１３４、第二回避距離算出部１３６、ピックアップ位置決定部１３８は、コントローラ９０により実装される。
【００６１】
ＴＯＣ情報記録部１２０は、光情報記録媒体１のＴＯＣ（Ｔａｂｌｅ  ｏｆ  Ｃｏｎｔｅｎｔｓ）情報から、欠陥アドレス、記録済アドレス、感度損失容認領域５４のアドレスを抽出して記録した部分である。
【００６２】
待機状態判定部１３１は、光情報記録再生装置１０が、光情報記録媒体１への情報の記録・再生を所定の時間ｔ秒だけ待機しているか否かを判定する。より詳細には、待機状態判定部１３１は、光情報記録媒体１への情報の記録あるいは再生が行われている（この状態を「活動状態」という）か否かを判定する。さらに、情報の記録・再生が行われていないならば（活動状態では無い）、所定の時間ｔ秒だけ待機しているか否かを判定する。
【００６３】
記録可否判定部１３２は、待機状態判定部１３１により、光情報記録再生装置１０が、光情報記録媒体１への情報の記録・再生を所定の時間ｔ秒だけ待機していると判定されたときに作動する。記録可否判定部１３２は、照射領域検出部１１０から照射領域４０のアドレスを、ＴＯＣ情報記録部１２０から、欠陥アドレスおよび記録済アドレスを受け、照射領域４０が書込可能領域５６に含まれるか否か（記録の可否）を判定する。これは、照射領域４０のアドレスが、欠陥アドレスおよび記録済アドレスでなければ、照射領域４０が書込可能領域５６に含まれると判断するものである。
【００６４】
第一回避距離算出部１３４および第二回避距離算出部１３６は、記録可否判定部１３２により、照射領域４０が書込可能領域５６に含まれると判定されたときに作動する。
【００６５】
第一回避距離算出部１３４は、照射領域検出部１１０から照射領域４０のアドレスを、ＴＯＣ情報記録部１２０から感度損失容認領域５４のアドレスを受け、照射領域４０と感度損失容認領域５４との距離を算出する。図４の例でいえば、ｄ３ということになる。なお、感度損失容認領域５４が複数あれば、照射領域４０から最も近い感度損失容認領域５４との距離を算出する。第一回避距離算出部１３４の算出結果を、第一回避距離という。
【００６６】
第二回避距離算出部１３６は、照射領域検出部１１０から照射領域４０のアドレスを、ＴＯＣ情報記録部１２０から記録済アドレスを受け、照射領域４０と飽和領域５２との距離を算出する。なお、飽和領域５２が複数あれば、照射領域４０から最も近い飽和領域５２との距離を算出する。図４の例でいえば、照射領域４０と飽和領域５２ａとの距離ｄ１、照射領域４０と飽和領域５２ｂとの距離ｄ２であり、ｄ１＜ｄ２なので、第二回避距離算出部１３６の算出結果は、ｄ１ということになる。第二回避距離算出部１３６の算出結果を、第二回避距離という。
【００６７】
ピックアップ位置決定部１３８は、第一回避距離と第二回避距離とを比較し、小さい方に対応する、飽和領域５２あるいは感度損失容認領域５４に位置制御光が照射されるようなピックアップ１１の位置を決定する。図４の例でいえば、第一回避距離＝ｄ３、第二回避距離＝ｄ１であり、ｄ１＜ｄ３である。よって、第二回避距離＝ｄ１に対応する飽和領域５２ａに位置制御光が照射されるようにピックアップ１１の位置を決定する。例えば、飽和領域５２ａの真下にピックアップ１１を位置させるようにする。決定された位置は、スライドサーボ回路８８に伝えられ、スライドサーボ回路８８がピックアップ１１を決定された位置に移動させる。
【００６８】
次に、本発明の実施形態に係る光情報記録再生装置１０の動作について図６のフローチャートを参照しながら説明する。なお、光情報記録媒体１は規定の回転数を保つように制御されてスピンドルモータ８２によって回転される。
【００６９】
まず、光情報記録再生装置１０は、光情報記録媒体１に記録されているＴＯＣ情報を利用してＴＯＣ処理を行う（Ｓ１０１）。すなわち、光情報記録媒体１のＴＯＣ開始アドレスから、情報の再生を行い、ＴＯＣ情報を取得する。フォーマットバージョンにより光情報記録媒体１のフォーマットに適した記録・再生方法を選択する。最適記録・再生パラメータにより最適なレーザパワー等のパラメータが予測され、光情報記録再生装置１０の実測により、光情報記録再生装置１０における最適記録・再生パラメータが決定される。これは、光情報記録媒体１にＴＯＣ情報として記録される。なお、ＴＯＣ情報の内、欠陥アドレス、記録済アドレス、感度損失容認領域５４のアドレスはＴＯＣ情報記録部１２０に記録される。
【００７０】
次に、ピックアップ１１は位置制御光を光情報記録媒体１に照射する。これにより、ピックアップ１１のサーボ位置制御が行われる。そのままの状態で、光情報記録媒体１の情報の記録・再生のためのアクセスがあるまで待機する（Ｓ１０２）。光情報記録媒体１の情報の記録・再生のためのアクセスの要求があれば（Ｓ１０３、Ｙｅｓ）、ピックアップ１１からは使用光が光情報記録媒体１に照射され、光情報記録媒体１の情報の記録・再生のためのアクセスが行われる（Ｓ１０４）。アクセスの要求がある（Ｓ１０３、Ｙｅｓ）前の待機状態（Ｓ１０２）において、ピックアップ１１のサーボ位置制御が行われているので、アクセスの要求があるとすぐに、ピックアップ１１からの使用光の照射が行える。
【００７１】
アクセス動作（Ｓ１０４）を終えると、ＴＯＣ処理（Ｓ１０１）に戻る。この場合、記録・再生動作が行われた後なので、欠陥アドレス、記録済アドレス、光情報記録再生装置１０における最適記録・再生パラメータを更新する。
【００７２】
アクセス要求が無ければ（Ｓ１０３、Ｎｏ）、待機状態判定部１３１は所定の時間ｔ秒だけ待機しているか否かを判定する（Ｓ１０５）。これは、活動状態では無い時間がｔ秒に到達するか否かを判定していることになる。待機開始後の経過時間がｔ秒未満ならば（Ｓ１０５、Ｎｏ）、待機し続ける（Ｓ１０２）。待機開始後の経過時間がｔ秒に到達したら（Ｓ１０５、Ｙｅｓ）、ピックアップ１１の位置を決定する（Ｓ１０６）。
【００７３】
ピックアップ１１の位置決定の手順を図７のフローチャートを参照して説明する。
【００７４】
まず、照射領域検出部１１０が照射領域４０のアドレスを検出する（Ｓ２０１）。次に、記録可否判定部１３２が、照射領域４０のアドレスと欠陥アドレスとを対比して、照射領域４０が欠陥領域５８に含まれるか否かを判定する（Ｓ２０２）。照射領域４０が欠陥領域５８に含まれていないならば（Ｓ２０２、Ｎｏ）、記録可否判定部１３２が、照射領域４０のアドレスと記録済アドレスとを対比して、照射領域４０が飽和領域５２ａ、ｂに含まれるか否かを判定する（Ｓ２０３）。照射領域４０が飽和領域５２ａ、ｂに含まれていないならば（Ｓ２０３、Ｎｏ）、記録可否判定部１３２は、照射領域４０が書込可能領域５６に含まれると判定する（Ｓ２０４）。
【００７５】
そして、第一回避距離算出部１３４は、照射領域４０のアドレスおよび感度損失容認領域５４のアドレスを受け、照射領域４０と感度損失容認領域５４との距離（第一回避距離）を算出する（Ｓ２０５）。ただし、感度損失容認領域５４が複数あれば最も照射領域４０に近いものと距離を第一回避距離とする。図４の例でいえば、第一回避距離＝ｄ３ということになる。
【００７６】
第二回避距離算出部１３６は、照射領域４０のアドレスおよび記録済アドレスを受け、照射領域４０と飽和領域５２との距離（第二回避距離）を算出する（Ｓ２０６）。ただし、飽和領域が複数あれば最も照射領域４０に近いものと距離を第二回避距離とする。図４の例でいえば、第二回避距離＝ｄ１ということになる。
【００７７】
そして、ピックアップ位置決定部１３８は、第一回避距離と第二回避距離とを比較する（Ｓ２０７）。第一回避距離≦第二回避距離（Ｓ２０７、Ｙｅｓ）ならば、第一回避距離に対応する感度損失容認領域５４に位置制御光が照射されるようなピックアップ１１の位置を決定する（Ｓ２０８）。第一回避距離＞第二回避距離（Ｓ２０７、Ｎｏ）ならば、第二回避距離に対応する飽和領域５２に位置制御光が照射されるようなピックアップ１１の位置を決定する（Ｓ２０９）。これで、ピックアップ１１の位置決定を終える。
【００７８】
図４の例でいえば、第一回避距離ｄ３＞第二回避距離ｄ１であり（Ｓ２０７、Ｎｏ）、第二回避距離ｄ１に対応する飽和領域は、飽和領域５２ａなので、飽和領域５２ａに位置制御光が照射されるようなピックアップ１１の位置を決定する（Ｓ２０９）。
【００７９】
なお、照射領域４０が欠陥領域５８に含まれている（Ｓ２０２、Ｙｅｓ）、あるいは、照射領域４０が飽和領域５２ａ、ｂに含まれている（Ｓ２０３、Ｙｅｓ）ならば、照射領域４０が書込可能領域５６に含まれていないと判定する（Ｓ２１０）。そして、ピックアップ１１の位置を決定せずに処理を終了する。
【００８０】
図６に戻り、ピックアップ１１の位置決定（Ｓ１０６）の後は、ピックアップ位置決定部１３８からスライドサーボ回路８８に決定された位置が伝えられ、スライドサーボ回路８８がピックアップ１１を決定された位置に移動させる（Ｓ１０７）。ただし、照射領域４０が書込可能領域５６に含まれていないと判定された場合（Ｓ２１０）は、ピックアップ１１の位置は決定されていないため、特にピックアップ１１を移動させず、そのままの位置に保持する。照射領域４０が書込可能領域５６に含まれていないならば、特に、使用光に対する感度の損失を考慮しなくてよいからである。
【００８１】
そして、ピックアップ１１は位置制御光を光情報記録媒体１に照射する。これにより、ピックアップ１１のサーボ位置制御が行われる。そのままの状態で、光情報記録媒体１の情報の記録・再生のためのアクセスがあるまで待機する（Ｓ１０２）。
【００８２】
本発明の実施形態によれば、活動状態（光情報記録媒体１への記録・再生のためのアクセスが行われている状態）では無い時（例えば、ピックアップ１１の位置制御中）には、位置制御光が感度損失無視領域（飽和領域５２ａ、ｂあるいは感度損失容認領域５４）に照射される。よって、位置制御光の照射による、光情報記録媒体１の使用光に対する感度の損失を考慮しなくてすむ。
【００８３】
また、本発明の実施形態によれば、待機開始時からｔ秒経過してから、ピックアップ１１の位置決定および移動を行う。よって、待機開始時からｔ秒以内に記録・再生が再開されるような場合は、ピックアップ１１の移動が行われないため、再開の際に便利である。
【００８４】
さらに、本発明の実施形態によれば、感度損失無視領域の内で照射領域４０から最も近いものに位置制御光が照射されるようにピックアップ１１が移動されるので、ピックアップ１１の移動にかかる時間を短くできる。
【００８５】
以上、本発明の構成および動作をその原理と実施の形態に基づいて説明してきたが、本発明は上記実施の形態に限定されず、発明の本旨を逸脱しない範囲において、様々な変形が可能である。
【図面の簡単な説明】
【図１】本発明の実施形態に係る光情報記録再生装置におけるピックアップ装置と光情報記録媒体の構成を示す説明図である。
【図２】本発明の実施形態に係る光情報記録再生装置の全体構成を示すブロック図である。
【図３】検出回路８５の構成を示すブロック図である。
【図４】光情報記録媒体１を光を照射する側から見た底面図である。
【図５】ピックアップ１１の位置を制御する際の、信号処理回路８９およびコントローラ９０により果たされる機能を示した機能ブロック図である。
【図６】本発明の実施形態に係る光情報記録再生装置１０の動作を示すフローチャートである。
【図７】ピックアップ１１の位置決定の手順を示すフローチャートである。
【図８】従来技術にかかる光情報記録再生装置のピックアップの位置のサーボ制御にかかわる部分を抽出した図である。
【符号の説明】
１  光情報記録媒体
５２ａ、ｂ  飽和領域
５４  感度損失容認領域
５６  書込可能領域
５８  欠陥領域
８９  信号処理回路
９０  コントローラ
１１０  照射領域検出部
１２０  ＴＯＣ情報記録部
１３１  待機状態判定部
１３２  記録可否判定部
１３４  第一回避距離算出部
１３６  第二回避距離算出部
１３８  ピックアップ位置決定部
【図１】
2004227620.tif 000003
【図２】
2004227620.tif 000004
【図３】
2004227620.tif 000005
【図４】
2004227620.tif 000006
【図５】
2004227620.tif 000007
【図６】
2004227620.tif 000008
【図７】
2004227620.tif 000009
【図８】
2004227620.tif 000010